(57)【要約】【課題】  照度の向上、組立の簡易化、光源の長寿命化を図り、資源の無駄遣いを防止する。【解決手段】  コネクタ１２０が内蔵されるフレーム１００と、フレーム１００の前方に連結され、内側に第１反射部２１０ａおよび第２反射部２１０ｂが一体に連結される反射板２１０が固定される電燈の笠２００と、コネクタ１２０にソケットが連結されるバルブ３１０およびバルブ３１０の内側に配置された発光体を有する光源と、を備えて照明器具１０を構成する。【選択図】      図１
2004228070.tif 000002
【特許請求の範囲】
【請求項１】
一側が開放されるボックス形状に一体成型され、その内側に電源供給用ケーブルが連結されるコネクタが結合されるフレームと、
前記フレームの前方に結合され、内側に第１反射部および第２反射部が一体に連結される反射板が結合され、前記反射板は、光源から１０ｍ以下で最大照射範囲を確保するように設置される電燈の笠と、
前記コネクタに回転結合されるソケットが、発光体の内蔵されるバルブの一側に連結され、前記発光体を支持しながら電源を供給するようにバルブの内側に第１電極、第２電極３が突設される光源と、
を備えたことを特徴とする照明器具。
【請求項２】
請求項１記載の照明器具において、
前記反射板は、ベースの一端に連結されながら水平面上から下向きに１°〜８９°折り曲げられる第１反射部および前記第１反射部の一端に連結されながら水平面上から下向に１°〜８９°折り曲げられる第２反射部を備えていることを特徴とする照明器具。
【請求項３】
請求項１または請求項２記載の照明器具において、
前記第１反射部および第２反射部は、上端から下端に１°〜８９°拡大される幅を持つテーパー形状の一つ以上の個体反射片が相互連結され、アルミニウム板の表面に酸化チタンやシリコンなどが被覆されて可視光領域の高い反射率を持つ鏡面状の反射面を有することを特徴とする照明器具。
【請求項４】
請求項１記載の照明器具において、
前記バルブは、前記第１電極に支持片を介して前記発光体の上下端が支持され、前記第１電極、前記第２電極に連結されるワイヤにて連結され、前記支持片の一側に通電を防止する不導体が介在され、 内側に電極の一端を支持する突起が突設され、前記バルブの内部には発光体の構成要素である蛍光体が充填されていることを特徴とする照明器具。
【請求項５】
請求項４記載の照明器具において、
前記発光体は、セラミックを使用した真空状態の発光管の内部に水銀やヘリウムガスなどが選択的に封入されることを特徴とする照明器具。
【請求項６】
発光体がバルブ内に封入された光源と、
コネクタと、
前記コネクタに結合されるフレームと、
ベース、第１反射部および第２反射部が一体に連結され、光源から所定距離以下の所定位置に最大照射領域を位置させるべくその形状が形成された反射板と、
前記フレームに結合され、内側に前記反射板が結合される笠と、
を備えたことを特徴とする照明器具。
【請求項７】
請求項６記載の照明器具において、
前記光源は、前記バルブに連結され、前記コネクタに電気的に結合されるソケットと、
前記バルブ内に突設された第１電極および第２電極と、
を備えたことを特徴とする照明器具。
【請求項８】
請求項７記載の照明器具において、
前記光源は、前記発光体の一部が封入された発光管を有し、
前記第１電極および前記第２電極は前記発光管を支持している、
ことを特徴とする照明器具。
【請求項９】
請求項６ないし請求項８のいずれかに記載の照明器具において、
前記第１反射部は、前記ベースの一端に連結されながらその反射面のそれぞれが水平面上から下向きに∂１［゜］だけ傾けて配置され、
１゜≦∂１≦８９°
前記第２反射部は、前記第１反射部の一端に連結されながらその反射面のそれぞれが水平面上から下向に∂２［゜］だけ傾けて配置されている、
１°≦∂２≦８９°、∂２＞∂１
ことを特徴とする照明器具。
【請求項１０】
請求項６ないし請求項９のいずれかに記載の照明器具において、
前記第１反射部および第２反射部は、上端側から下端側に向かって所定角度∂３で拡幅されたテーパー形状の複数の個体反射片が相互連結され、
前記所定角度∂３は、
１゜≦∂３≦８９゜
とされていることを特徴とする照明器具。
【請求項１１】
請求項１０記載の照明器具において、
前記個体反射片は、可視光領域において所定の反射率を有する反射材料によりアルミニウムで形成された基材の表面を被覆することにより形成された鏡面状の反射面を備えていることを特徴とする照明器具。
【請求項１２】
請求項１１記載の照明器具において、
前記反射材料は、酸化チタンあるいはシリコンであることを特徴とする照明器具。
【請求項１３】
請求項８記載の照明器具において、
前記発光管は、前記第１電極および前記第２電極に支持片を介して両端が支持されて前記第１電極あるいは前記第２電極にそれぞれワイヤにて連結され、
前記支持片の一側に通電を防止する不導体が介在され、 
前記バルブの内側には、電極の一端を支持する突起が突設され、
前記バルブの内部には発光体を構成する蛍光体が充填されている、
ことを特徴とする照明器具。
【請求項１４】
請求項８または請求項１３のいずれかに記載の照明器具において、
前記発光管内には、前記発光体として水銀あるいはヘリウムガスが選択的に封入されていることを特徴とする照明器具。
【発明の詳細な説明】
【技術分野】
【０００１】
本発明は、照明器具に係り、特に照度を向上させ、反射板の組立を容易にし、さらに資源の無駄遣いを防止できる照明器具に関する。
【背景技術】
【０００２】
一般に、照明装置には、一定の耐久性を持つコイルに電源を供給して直接発熱させて光を発生させる直接照明方式と、真空状態の管内部に蛍光物質を封入した後、管に高電圧を印加して蛍光物質同士の相互衝突力によって光を発生させる間接照明方式と、が利用されている。
【０００３】
このようにして発生された光は、その一側に設置される反射カバーにより反射されて一定領域（一定地域）を照らし、当該領域内が所望の照度となるようにされる。
【０００４】
しかし、このような照明装置は、単に光を照らすだけに止まり、いずれか一方向にしか光を反射できない反射板により光の損失が発生し、十分な照度が確保できなかった。
【０００５】
この種の問題点を改善するための照明装置が特許文献１に開示されている。
【０００６】
図５に特許文献１に開示されている照明装置の構成を示す。
【０００７】
照明装置５００は、図５に示すように、ケース５０１と、このケース５０１内に収納されて光を発生する、直接照明方式の光源５０２と、ケース５０１内の一側に固定される光源５０２に電源が印加されるように光源５０２と連結される光源ソケット５０３と、ケース５０１に収納・結合されて光源５０２の一部を囲み、光源５０２により発生された光を反射して拡散させるように、光源５０２と対向する表面に凹状または凸状の半球、エンボシング、四角錐等として構成される複数の光拡散部５０４ａが設けられた反射カバー５０４と、を備えている。
【特許文献１】大韓民国登録実用新案公報第２３７０９４号
【発明の開示】
【発明が解決しようとする課題】
【０００８】
しかし、上記構成を有する照明装置５００は、光源５０２として直接照明方式の光源を採用しているため、運搬や設置のときに衝撃が電極に直接伝達されて短絡が頻繁に生じるという問題点があった。
【０００９】
また、反射カバー５０４が一体に構成されていたため、反射カバー５０４の一部分が破損されても反射カバー５０４全体を交換しなければならず、資源の無駄遣いを招き、かつ、反射カバー５０４の加工が複雑なため、コストアップとなってしまうという問題点があった。
【００１０】
そこで、本発明の目的は、照度をさらに向上させ、反射板の組立を簡便に行え、 光源の長寿命化を図り、資源の無駄遣いを防止できる照明器具を提供することにある。
【課題を解決するための手段】
【００１１】
上記課題を解決するため、照明器具は、一側が開放されるボックス形状に一体成型され、その内側に電源供給用ケーブルが連結されるコネクタが結合されるフレームと、前記フレームの前方に結合され、内側に第１反射部および第２反射部が一体に連結される反射板が結合され、前記反射板は、光源から１０ｍ以下で最大照射範囲を確保するように設置される電燈の笠と、前記コネクタに回転結合されるソケットが、発光体の内蔵されるバルブの一側に連結され、前記発光体を支持しながら電源を供給するようにバルブの内側に第１電極、第２電極３が突設される光源と、を備えたことを特徴としている。
【００１２】
この場合において、前記反射板は、ベースの一端に連結されながら水平面上から下向きに１°〜８９°折り曲げられる第１反射部および前記第１反射部の一端に連結されながら水平面上から下向に１°〜８９°折り曲げられる第２反射部を備えているようにしてもよい。
【００１３】
また、前記第１反射部および第２反射部は、上端から下端に１°〜８９°拡大される幅を持つテーパー形状の一つ以上の個体反射片が相互連結され、アルミニウム板の表面に酸化チタンやシリコンなどが被覆されて可視光領域の高い反射率を持つ鏡面状の反射面を有するようにしてもよい。
【００１４】
さらに、前記バルブは、前記第１電極に支持片を介して前記発光体の上下端が支持され、前記第１電極、前記第２電極に連結されるワイヤにて連結され、前記支持片の一側に通電を防止する不導体が介在され、 内側に電極の一端を支持する突起が突設され、前記バルブの内部には発光体の構成要素である蛍光体が充填されているようにしてもよい。
【００１５】
さらにまた、前記発光体は、セラミックを使用した真空状態の発光管の内部に水銀やヘリウムガスなどが選択的に封入されるようにしてもよい。
【００１６】
また、照明器具は、発光体がバルブ内に封入された光源と、コネクタと、前記コネクタに結合されるフレームと、ベース、第１反射部および第２反射部が一体に連結され、光源から所定距離以下の所定位置に最大照射領域を位置させるべくその形状が形成された反射板と、前記フレームに結合され、内側に前記反射板が結合される笠と、を備えたことを特徴としている。
【００１７】
この場合において、前記光源は、前記バルブに連結され、前記コネクタに電気的に結合されるソケットと、前記バルブ内に突設された第１電極および第２電極と、を備えるようにしてもよい。
【００１８】
また、前記光源は、前記発光体の一部が封入された発光管を有し、前記第１電極および前記第２電極は前記発光管を支持しているようにしてもよい。
【００１９】
さらに、前記第１反射部は、前記ベースの一端に連結されながらその反射面のそれぞれが水平面上から下向きに∂１［゜］だけ傾けて配置され、
１゜≦∂１≦８９°
前記第２反射部は、前記第１反射部の一端に連結されながらその反射面のそれぞれが水平面上から下向きに∂２［゜］だけ傾けて配置されている、
１°≦∂２≦８９°、∂２＞∂１
ようにしてもよい。
【００２０】
さらにまた、前記第１反射部および第２反射部は、上端側から下端側に向かって所定角度∂３で拡幅されたテーパー形状の複数の個体反射片が相互連結され、
前記所定角度∂３は、
１゜≦∂３≦８９゜
とされているようにしてもよい。
【００２１】
また、前記個体反射片は、可視光領域において所定の反射率を有する反射材料によりアルミニウムで形成された基材の表面を被覆することにより形成された鏡面状の反射面を備えているようにしてもよい。
【００２２】
さらに、前記反射材料は、酸化チタンあるいはシリコンであるようにしてもよい。
【００２３】
さらにまた、前記発光管は、前記第１電極および前記第２電極に支持片を介して両端が支持されて前記第１電極あるいは前記第２電極にそれぞれワイヤにて連結され、前記支持片の一側に通電を防止する不導体が介在され、前記バルブの内側には、電極の一端を支持する突起が突設され、前記バルブの内部には発光体を構成する蛍光体が充填されているようにしてもよい。
【００２４】
また、前記発光管内には、前記発光体として水銀あるいはヘリウムガスが選択的に封入されているようにしてもよい。
【発明の効果】
【００２５】
本発明によれば、照度をさらに向上させ、反射板の組立を簡便に行え、光源の長寿命化を図り、資源の無駄遣いを防止できる。
【発明を実施するための最良の形態】
【００２６】
次に図面を参照して、本発明を実施するための形態について詳細に説明する。
【００２７】
図１は、本発明による照明器具を示す斜視図である。また、図２は、本発明による照明器具の電燈の笠を示す底面図である。さらに、図３は、本発明による照明器具を示す分解図である。さらにまた、図４は、本発明による照明器具のランプを示す斜視図である。
【００２８】
図１ないし図４に示すように、本形態の照明器具１０は、大別すると、フレーム１００、電燈の笠２００および光源３００を備えている。
【００２９】
フレーム１００は、一端側が開放されるボックス形状に一体成型され、コネクタ１２０が螺合されている。このコネクタ１２０の内側には、電源供給用ケーブル１１０が電気的に連結されている。
【００３０】
フレーム１００の前方に結合される電燈の笠２００は、大別すると、カバー２２０と、カバー２２０の内側に結合された反射板２１０と、を備えている。
【００３１】
この反射板２１０は、第１反射部２１０ａ、第２反射部２１０ｂおよびベース２１０ｃが一体連結されて構成されている。
【００３２】
反射板２１０において、第１反射部２１０ａは、図３に示すように、その反射面が水平面に対して下向きに角度∂１［゜］をなすように傾けて配置され（折り曲げられ）、一定の長さを有して形成されている。
【００３３】
ここで、角度∂１は、以下のように設定されている。
【００３４】
１゜≦∂１≦８９゜
また、第２反射部２１０ｂは、図３に示すように、その反射面が水平面に対して下向きに角度∂２［゜］をなすように傾けて配置され（折り曲げられ）、一定の長さを有して形成されている。
【００３５】
ここで、角度∂２は、以下のように設定されている。
【００３６】
１゜≦∂２≦８９゜、∂１＜∂２
また、第１反射部２１０ａおよび第２反射部２１０ｂは、上端側から下端側に向かって所定角度∂３で拡幅されたテーパー状の複数の個体反射片２１１ａ、２１１ｂが相互連結されている。この結果、第１反射部２１０ａおよび第２反射部２１０ｂは、全体的に上部側から下部側に向かって寸法（径）が次第に大きくなる（拡大される）形状となっている。すなわち、側方から見た場合の形状が略台形形状となるような形状となっている。
【００３７】
ここで、所定角度∂３は、以下のように設定されている。
【００３８】
１゜≦∂３≦８９゜
各個体反射片２１１ａ、２１１ｂは、アルミニウム板の表面に酸化チタンやシリコンなどが被覆されて可視光領域の高い反射率を持つ鏡面状の反射面を有している。
【００３９】
そして、反射板２１０は、ランプと照射面の距離にしたがって第１反射部２１０ａに対応する角度∂１および第２反射部２１０ｂに対応する角度∂２が調節される。好ましくは、１０ｍ以下の所望距離において最大照射領域（最大照射範囲）が確保されるようにその角度∂１、∂２が調整される。
【００４０】
また、コネクタ１２０には、光源３００が連結されている。
【００４１】
この光源３００は、図４に示すように、コネクタ１２０に回転結合されるようにバルブ３１０の一側に形成されるソケット３５０（図３参照）と、バルブ３１０の内側に突出される第１電極３２０ａ、第２電極３２０ｂと、これら第１電極３２０ａ、第２電極３２０ｂに分離接続される発光体３３０とを有している。
【００４２】
バルブ３１０は、第１電極３２０ａおよび第２電極３２０ｂに支持片３４０を介して発光体３３０の上下端が支持されている。さらに、第１電極３２０ａに連結されるワイヤ３２０ａ−１、第２電極３２０ｂに連結されるワイヤ３２０ｂ−１にて連結され、支持片３４０の一側に通電を防止する不導体３４０ａが介在され、内側に電極３２０ａの一端を支持する突起３１０ａが突設される。
【００４３】
このとき、バルブ３１０の内部には発光体３３０を構成する蛍光体３３０ａが充填されている。
【００４４】
また、セラミックを使用した発光管３３１の内部には発光体３３０を構成する、水銀（金属蒸気として利用）やヘリウムガスなどの発光物質３３０ｂが封入されている。
【００４５】
以下、実施の形態の作用を説明する。
【００４６】
図１ないし図４に示すように、フレーム１００は、一体成形されており、角度調節用取手などが適当位置に突設されながら一定位置に螺合されるように支持プレートなどを有している。
【００４７】
このフレーム１００の内側に一体に形成されたコネクタ１２０支持用の突片が形成されており、コネクタ１２０へのバルブ３１０のソケット３５０の螺合を可能にしている。そして、フレーム１００に形成された図示しない溝を介してコネクタ１２０に電源を供給する電源供給用ケーブル１１０が接続されている。
【００４８】
また、フレーム１００には、コーン形状の電燈の笠２００が結合されて、その内側に設置される反射板２１０の損傷を防止している。
【００４９】
反射板２１０は、ベース２１０ｃの端部には、上側から下側に向かって拡幅された第１反射部２１０ａおよび第２反射部２１０ｂが上下に連結されている。
【００５０】
さらに第１反射部２１０ａの反射面は、所望の照射領域（照射位置）までの距離に応じて、水平面に対して下向きに角度∂１＝１°〜８９°だけ傾けて配置され、第２反射部２１０ｂの反射面は、水平面に対して下向きに角度∂２＝１°〜８９°（∂２＞∂１）だけ傾けて配置されている。
【００５１】
この結果、照射される光を確実に拡散させ、所望の照射領域（照射位置）における照度を向上させる。この場合において、照明器具１０から１０ｍ以下で最大照射領域（最大照射範囲）が確保されるように角度∂１、∂２を調節するのが好ましい。
【００５２】
さらに、第１反射部２１０ａおよび第２反射部２１０ｂは、それぞれ、複数の個体反射片２１１ａ、２１１ｂが相互連結され、アルミニウム板の表面に酸化チタンやシリコンなどが被覆されて可視光領域の高い反射率を持つ鏡面状の反射面を形成し、光の散乱を低減化（最小化）することはもちろん、所定領域（照射位置）への光拡散を調節する。
【００５３】
また、コネクタ１２０に連結される光源３００は、バルブ３１０の内側に突出される第１電極３２０ａ、第２電極３２０ｂを介して発光管３３１が連結される構成となっているため、外部の衝撃を効率よく吸収し、短絡を防止することができる。
【００５４】
また、発光管３３１は、第１電極３２０ａ、第２電極３２０ｂに支持片３４０を介して上下端が支持されるときに、第１電極３２０ａ、第２電極３２０ｂに連結されるワイヤ３２０ａ−１、３２０ｂ−１にて支持され、左右流動を可能にし、外部の衝撃が発光体３３０と電極の連結部に直接伝達されることを防止する。
【００５５】
そして、光源３００は、セラミックを使用した真空状態の発光管３３１の内部に水銀やヘリウムガスなどが封入された構成を採っているため、一定の照度を得ることができる。
【００５６】
本実施形態によれば、光源により反射される光の反射率を最適化して照度をさらに向上させることができる。
【００５７】
また、個体反射片を相互連結する構成として反射板の組立を簡便にすることができる。この個体反射片は個別に分離可能であるので、ある箇所の破損時、該当箇所の個体反射片のみを交換し、資源の無駄遣いを防止できる。
【００５８】
また、バルブと発光体の二重構造からなるランプにより短絡を防止して光源の長寿命化を図ることができる。
【００５９】
以上の説明おいては、特定の実施の形態を例に挙げて説明したが、特許請求の範囲によって定められる本発明の思想や範疇を外れない範囲内でさまざまに改良および変更できることは、いわゆる当業者によって自明である。
【図面の簡単な説明】
【００６０】
【図１】本発明による照明器具を示す斜視図である。
【図２】本発明による照明器具の電燈の笠を示す底面図である。
【図３】本発明による照明器具を示す分解図である。
【図４】本発明による照明器具のランプを示す斜視図である。
【図５】従来の照明装置を示す斜視図である。
【符号の説明】
【００６１】
１０…照明器具、
１００…フレーム、
１２０…コネクタ、
２００…笠、
２１０…反射板、
２１０ａ…第１反射部、
２１０ｂ…第２反射部、
２１１ａ、２１１ｂ…個体反射片、
３００…光源、
３１０…バルブ、
３３０…発光体。
【図１】
2004228070.tif 000003
【図２】
2004228070.tif 000004
【図３】
2004228070.tif 000005
【図４】
2004228070.tif 000006
【図５】
2004228070.tif 000007